(57)【要約】【解決手段】硬質樹脂により成形して柄１の表面側で露出させた硬質表面部９のほかに、透明または半透明の軟質樹脂により成形して柄１の表面側で露出させた軟質表面部６を有し、その軟質表面部６の表面側からその表面側に対する反対側若しくはその軟質表面部６の内部を目視し得るようにした。【効果】柄１の見映えを良くすることができる。【選択図】図１
2010064170.tif 000002
【特許請求の範囲】
【請求項１】
硬質材により成形して柄の表面側で露出させた硬質表面部のほかに、透明または半透明の軟質材により成形して柄の表面側で露出させた軟質表面部を有し、その軟質表面部の表面側からその表面側に対する反対側若しくはその軟質表面部の内部を目視し得るようにしたことを特徴とする手動利器における柄の構造。
【請求項２】
前記軟質表面部は前記硬質表面部を介して複数に分離されて設けられ、この各軟質表面部のうち少なくとも二つの軟質表面部は柄の表面側に露出しない軟質材をこれらの軟質表面部と一体成形した連結部により互いに繋がっていることを特徴とする請求項１に記載の手動利器における柄の構造。
【請求項３】
手動利器の機能部側になる柄の頭部とその機能部に対する反対側になる柄の尻部との間を結ぶ長手方向に対し直交する柄の厚み方向の両側のうち柄を握った際に手の平側になる背側には柄の頭部と尻部との間で前記軟質表面部が長手方向へ延びて一連に繋がった背側軟質指当部を設け、前記柄の厚み方向の両側のうち柄を握った際に手の平に対する反対側になる腹側には柄の頭部と尻部との間で前記軟質表面部が長手方向へ延びて一連に繋がった腹側軟質指当部を設け、前記柄の長手方向に対し直交する幅方向の両側で柄の背側と腹側との間には柄の頭部と尻部との間で前記硬質表面部が長手方向へ延びて一連に繋がった硬質側面部を設けたことを特徴とする請求項１または請求項２に記載の手動利器における柄の構造。
【請求項４】
前記背側軟質指当部及び腹側軟質指当部は、それぞれ、柄の頭部側になる頭部側軟質指当部と、柄の尻部側になる尻部側軟質指当部と、その頭部側軟質指当部と尻部側軟質指当部との間の中間軟質指当部とに区分され、その頭部側軟質指当部の幅方向両側と尻部側軟質指当部の幅方向両側と中間軟質指当部の幅方向両側とで頭部側軟質指当部の縁部と尻部側軟質指当部の縁部と中間軟質指当部の縁部とが長手方向へ互いに連続しているとともに中間軟質指当部の縁部が頭部側軟質指当部の縁部と尻部側軟質指当部の縁部との間で凹みを有していることを特徴とする請求項３に記載の手動利器における柄の構造。
【請求項５】
前記硬質側面部は、柄の幅方向両側でそれぞれ、柄の頭部側になる頭部側硬質側面部と、柄の尻部側になる尻部側硬質側面部と、その頭部側硬質側面部と尻部側硬質側面部との間の中間硬質側面部とに区分され、その頭部側硬質側面部は厚み方向両側で前記背側軟質指当部及び腹側軟質指当部の頭部側軟質指当部の縁部に沿う縁部を有し、その尻部側硬質側面部は厚み方向両側で前記背側軟質指当部及び腹側軟質指当部の尻部側軟質指当部の縁部に沿う縁部を有し、その中間硬質側面部は厚み方向両側で前記背側軟質指当部及び腹側軟質指当部の中間軟質指当部の縁部に沿う縁部を有し、この頭部側硬質側面部の縁部と尻部側硬質側面部の縁部と中間硬質側面部の縁部とが長手方向へ互いに連続しているとともに、柄の幅方向両側で中間硬質側面部は頭部側硬質側面部と尻部側硬質側面部との間で凹みを有していることを特徴とする請求項４に記載の手動利器における柄の構造。
【発明の詳細な説明】
【技術分野】
【０００１】
本発明は、剃刀などの手動利器において柄の構造に関するものである。
【背景技術】
【０００２】
従来、下記特許文献１では、硬質材により成形して柄の表面側で露出させた硬質表面部のほかに、軟質材により成形して柄の表面側で露出させた軟質表面部を有している。
【特許文献１】特開２００４−１６６７９３号公報
【発明の開示】
【発明が解決しようとする課題】
【０００３】
上記特許文献１では、軟質表面部が不透明な軟質材により成形されているため、その軟質表面部の表面側からその表面側に対する反対側若しくはその軟質表面部の内部を目視することができず、軟質表面部の表面側だけが見えて柄の見映えに変化が生じにくくなり、柄の見映えに悪影響を及ぼすおそれがあった。
【０００４】
この発明は、柄の見映えを良くすることを目的としている。
【課題を解決するための手段】
【０００５】
後記実施形態の図面（図１〜２に示す第１実施形態、図３〜４に示す第２実施形態）の符号を援用して本発明を説明する。
請求項１の発明にかかる手動利器の柄の構造は、第１〜２実施形態に対応し、下記のように構成されている。
【０００６】
硬質材により成形して柄１の表面側で露出させた硬質表面部９のほかに、透明または半透明の軟質材により成形して柄１の表面側で露出させた軟質表面部６を有し、その軟質表面部６の表面側からその表面側に対する反対側若しくはその軟質表面部６の内部を目視し得るようにした。
【０００７】
請求項１の発明では、硬質表面部９により柄１の強度を増すとともに、柄１を握った際の感触を軟質表面部６により良くするばかりでなく、この軟質表面部６を透明または半透明にしたので、その軟質表面部６の表面側からその表面側に対する反対側若しくはその軟質表面部６の内部を目視することができ、柄１の見映えを良くすることができる。
【０００８】
請求項１の発明を前提とする請求項２の発明（第１〜２実施形態に対応）において、前記軟質表面部６は前記硬質表面部９を介して複数に分離されて設けられ、この各軟質表面部６のうち少なくとも二つの軟質表面部６は柄１の表面側に露出しない軟質材をこれらの軟質表面部６と一体成形した連結部２３，２５，４２ａにより互いに繋がっている。請求項２の発明では、軟質表面部６を複数に分離して柄１の見映えを良くした場合でも、それらの軟質表面部６を軟質材により一体成形した連結部２３，２５，４２ａにより互いに繋いで、柄１の強度を増すとともに、軟質表面部６が剥がれにくくなる。また、連結部２３，２５，４２ａにより互いに繋がった各軟質表面部６を一度に成形することができ、成形回数を減らして成形コストを軽減することができる。
【０００９】
請求項１または請求項２の発明を前提とする請求項３の発明（第１実施形態に対応）において、手動利器の機能部３側になる柄１の頭部４とその機能部３に対する反対側になる柄１の尻部５との間を結ぶ長手方向Ｘに対し直交する柄１の厚み方向Ｚの両側のうち柄１を握った際に手の平側になる背側には柄１の頭部４と尻部５との間で前記軟質表面部６が長手方向Ｘへ延びて一連に繋がった背側軟質指当部７を設け、前記柄１の厚み方向Ｚの両側のうち柄１を握った際に手の平に対する反対側になる腹側には柄１の頭部４と尻部５との間で前記軟質表面部６が長手方向Ｘへ延びて一連に繋がった腹側軟質指当部８を設け、前記柄１の長手方向Ｘに対し直交する幅方向Ｙの両側で柄１の背側と腹側との間には柄１の頭部４と尻部５との間で前記硬質表面部９が長手方向Ｘへ延びて一連に繋がった硬質側面部１０を設けた。請求項３の発明では、長手方向Ｘへ一連に繋がった背側軟質指当部７に柄１を握った手の平が当てがわれるとともに、長手方向Ｘへ一連に繋がった腹側軟質指当部８に柄１を握った手の指先が当てがわれ、柄１を握った際の感触をこの背側軟質指当部７及び腹側軟質指当部８により良くすることができる。
【００１０】
請求項３の発明を前提とする請求項４の発明（第１実施形態に対応）において、前記背側軟質指当部７及び腹側軟質指当部８は、それぞれ、柄１の頭部４側になる頭部側軟質指当部１１，１２と、柄１の尻部５側になる尻部側軟質指当部１３，１４と、その頭部側軟質指当部１１，１２と尻部側軟質指当部１３，１４との間の中間軟質指当部１５，１６とに区分され、その頭部側軟質指当部１１，１２の幅方向Ｙの両側と尻部側軟質指当部１３，１４の幅方向Ｙの両側と中間軟質指当部１５，１６の幅方向Ｙの両側とで頭部側軟質指当部１１，１２の縁部１１ａ，１２ａと尻部側軟質指当部１３，１４の縁部１３ａ，１４ａと中間軟質指当部１５，１６の縁部１５ａ，１６ａとが長手方向Ｘへ互いに連続しているとともに中間軟質指当部１５，１６の縁部１５ａ，１６ａが頭部側軟質指当部１１，１２の縁部１１ａ，１２ａと尻部側軟質指当部１３，１４の縁部１３ａ，１４ａとの間で凹み１７を有している。請求項４の発明では、幅方向Ｙの両側で長手方向Ｘの中間に凹み１７を有する背側軟質指当部７及び腹側軟質指当部８により、柄１を握った際の感触をより一層良くすることができる。
【００１１】
請求項４の発明を前提とする請求項５の発明（第１実施形態に対応）において、前記硬質側面部１０は、柄１の幅方向Ｙの両側でそれぞれ、柄１の頭部４側になる頭部側硬質側面部１８と、柄１の尻部５側になる尻部側硬質側面部１９と、その頭部側硬質側面部１８と尻部側硬質側面部１９との間の中間硬質側面部２０とに区分され、その頭部側硬質側面部１８は厚み方向Ｚの両側で前記背側軟質指当部７及び腹側軟質指当部８の頭部側軟質指当部１１，１２の縁部１１ａ，１２ａに沿う縁部１８ａを有し、その尻部側硬質側面部１９は厚み方向Ｚの両側で前記背側軟質指当部７及び腹側軟質指当部８の尻部側軟質指当部１３，１４の縁部１３ａ，１４ａに沿う縁部１９ａを有し、その中間硬質側面部２０は厚み方向Ｚの両側で前記背側軟質指当部７及び腹側軟質指当部８の中間軟質指当部１５，１６の縁部１５ａ，１６ａに沿う縁部２０ａを有し、この頭部側硬質側面部１８の縁部１８ａと尻部側硬質側面部１９の縁部１９ａと中間硬質側面部２０の縁部２０ａとが長手方向Ｘへ互いに連続しているとともに、柄１の幅方向Ｙの両側で中間硬質側面部２０は頭部側硬質側面部１８と尻部側硬質側面部１９との間で凹み２１を有している。請求項５の発明では、幅方向Ｙの両側で長手方向Ｘの中間に凹み２１を有する硬質側面部１０により、柄１を握った際の感触をより一層良くすることができる。
【００１２】
次に、請求項以外の技術的思想について実施形態の図面の符号を援用して説明する。
請求項１または請求項２の発明を前提とする第６の発明（第１〜２実施形態に対応）において、前記軟質表面部６は指当部７，８になっている。第６の発明では、柄１を握った際の感触をこの指当部７，８により良くすることができる。
【００１３】
請求項３または請求項４または請求項５の発明を前提とする第７の発明（第１実施形態に対応）において、前記背側軟質指当部７で柄１の厚み方向Ｚの投影図の面積は、前記腹側軟質指当部８で柄１の厚み方向Ｚの投影図の面積よりも小さくまたは等しく設定されている。第７の発明では、柄１を握った手の指先を腹側軟質指当部８に当てがい易くなって柄１を握った際の感触を良くすることができる。
【００１４】
請求項１または請求項２の発明を前提とする第８の発明（第１実施形態に対応）において、手動利器の機能部３側になる柄１の頭部４とその機能部３に対する反対側になる柄１の尻部５との間を結ぶ長手方向Ｘに対し直交する柄１の厚み方向Ｚの両側のうち柄１を握った際に手の平側になる背側には柄１の頭部４と尻部５との間で前記軟質表面部６が長手方向Ｘへ延びて一連に繋がった背側軟質指当部７を設け、この背側軟質指当部７は、柄１の頭部４側になる頭部側軟質指当部１１と、柄１の尻部５側になる尻部側軟質指当部１３と、その頭部側軟質指当部１１と尻部側軟質指当部１３との間の中間軟質指当部１５とに区分され、その頭部側軟質指当部１１の幅方向Ｙの両側と尻部側軟質指当部１３の幅方向Ｙの両側と中間軟質指当部１５の幅方向Ｙの両側とで頭部側軟質指当部１１の縁部１１ａと尻部側軟質指当部１３の縁部１３ａと中間軟質指当部１５の縁部１５ａとが長手方向Ｘへ互いに連続しているとともに中間軟質指当部１５の縁部１５ａが頭部側軟質指当部１１の縁部１１ａと尻部側軟質指当部１３の縁部１３ａとの間で凹み１７を有している。第８の発明では、幅方向Ｙの両側で長手方向Ｘの中間に凹み１７を有する背側軟質指当部７により、柄１を握った際の感触をより一層良くすることができる。
【００１５】
請求項１または請求項２の発明を前提とする第９の発明（第１実施形態に対応）において、手動利器の機能部３側になる柄１の頭部４とその機能部３に対する反対側になる柄１の尻部５との間を結ぶ長手方向Ｘに対し直交する柄１の厚み方向Ｚの両側のうち柄１を握った際に手の平に対する反対側になる腹側には柄１の頭部４と尻部５との間で前記軟質表面部６が長手方向Ｘへ延びて一連に繋がった腹側軟質指当部８を設け、この腹側軟質指当部８は、柄１の頭部４側になる頭部側軟質指当部１２と、柄１の尻部５側になる尻部側軟質指当部１４と、その頭部側軟質指当部１２と尻部側軟質指当部１４との間の中間軟質指当部１６とに区分され、その頭部側軟質指当部１２の幅方向Ｙの両側と尻部側軟質指当部１４の幅方向Ｙの両側と中間軟質指当部１６の幅方向Ｙの両側とで頭部側軟質指当部１２の縁部１２ａと尻部側軟質指当部１４の縁部１４ａと中間軟質指当部１６の縁部１６ａとが長手方向Ｘへ互いに連続しているとともに中間軟質指当部１６の縁部１６ａが頭部側軟質指当部１２の縁部１２ａと尻部側軟質指当部１４の縁部１４ａとの間で凹み１７を有している。第９の発明では、幅方向Ｙの両側で長手方向Ｘの中間に凹み１７を有する腹側軟質指当部８により柄１を握った際の感触をより一層良くすることができる。
【００１６】
請求項５の発明を前提とする第１０の発明（第１実施形態に対応）において、硬質側面部１０の頭部側硬質側面部１８は背側軟質指当部７の頭部側軟質指当部１１の縁部１１ａに対し、硬質側面部１０の尻部側硬質側面部１９は背側軟質指当部７の尻部側軟質指当部１３の縁部１３ａに対し、硬質側面部１０の中間硬質側面部２０は背側軟質指当部７の中間軟質指当部１５の縁部１５ａに対し、それぞれ、幅方向Ｙの外側へ突出するように設けられている。第１０の発明では、背側軟質指当部７よりも幅方向Ｙの外側へ突出する硬質側面部１０により、柄１を握った際の感触をより一層良くすることができる。例えば、背側軟質指当部７と硬質側面部１０との材質の相違によりそれらに対する指先の触感が異なり、指による把持位置をその触感のみで感じ取ることができて柄１を操作し易い。
【００１７】
請求項３の発明または第７の発明を前提とする第１１の発明（第１実施形態に対応）において、前記背側軟質指当部７及び腹側軟質指当部８は、それぞれ、柄１の頭部４側になる頭部側軟質指当部１１，１２と、柄１の尻部５側になる尻部側軟質指当部１３，１４と、その頭部側軟質指当部１１，１２と尻部側軟質指当部１３，１４との間の中間軟質指当部１５，１６とに区分され、この腹側軟質指当部８の尻部側軟質指当部１４には複数の突部２８を並設した滑止め部２７を設けた。第１１の発明では、腹側軟質指当部８の尻部側軟質指当部１４に当てがった薬指や小指の滑りを防止することができる。
【００１８】
請求項３または請求項４または請求項５の発明または第７の発明または第１０の発明または第１１の発明を前提とする第１２の発明（第１実施形態に対応）において、前記腹側軟質指当部８には前記硬質表面部９が露出する複数の滑止め部２９，２７を設けた。第１２の発明では、腹側軟質指当部８で硬質表面部９が露出する滑止め部２９，２７に当てがった指の滑りを防止することができる。
【００１９】
請求項１または請求項２の発明を前提とする第１３の発明（第１実施形態に対応）において、手動利器の機能部３側になる柄１の頭部４とその機能部３に対する反対側になる柄１の尻部５との間を結ぶ長手方向Ｘに対し直交する柄１の厚み方向Ｚの両側のうち柄１を握った際に手の平側になる背側で指掛部３３を柄１の頭部４に隣接して設け、その指掛部３３で前記軟質表面部６に設けた指掛面３４から柄１の頭部４側に向うに従い柄１の背側から離間するように傾斜する指掛面３５を前記硬質表面部９に設けた。第１３の発明では、指掛部３３の指掛面３４，３５に指を当てがって柄１を安定性良く把持することができる。
【００２０】
請求項１の発明を前提とする第１４の発明（第２実施形態に対応）において、手動利器の機能部３側になる柄１の頭部４とその機能部３に対する反対側になる柄１の尻部５との間を結ぶ長手方向Ｘに対し直交する柄１の厚み方向Ｚの両側のうち柄１を握った際に手の平側になる背側には柄１の頭部４との境で指掛部４０を形成し、前記柄１の厚み方向Ｚの両側のうち柄１を握った際に手の平に対する反対側になる腹側で露出する軟質表面部６が、その指掛部４０に貫設した貫通孔４１に連結部４２ａにより一体成形されて、指掛部４０で指当面４２として露出している。第１４の発明では、軟質表面部６である指掛部４０の指当面４２に指を当てがうと、柄１を握った際の感触をより一層良くすることができるとともに、この指掛部４０の指当面４２を通して背側から腹側の剃り面、特に剃る直前の剃り面を目視することができる。
【００２１】
請求項１の発明または第１４の発明を前提とする第１５の発明（第２実施形態に対応）において、手動利器の機能部３側になる柄１の頭部４とその機能部３に対する反対側になる柄１の尻部５との間を結ぶ長手方向Ｘに対し直交する柄１の厚み方向Ｚの両側のうち柄１を握った際に手の平側になる背側で柄１の頭部４には指掛部４３を形成し、前記柄１の厚み方向Ｚの両側のうち柄１を握った際に手の平に対する反対側になる腹側で露出する軟質表面部６が、その指掛部４３に貫設した貫通孔４４に連結部４５により一体成形されて、指掛部４３で指当面４６として露出している。第１５の発明では、軟質表面部６である指掛部４３の指当面４６に指を当てがうと、柄１を握った際の感触をより一層良くすることができるとともに、この指掛部４３の指当面４６を通して背側から腹側の剃り面、特に剃る直前の剃り面を目視することができる。また、軟質表面部６のない単なる貫通孔４４のみの場合と比較して頭部４の強度を増すことができる。なお、この貫通孔４４に一体成形された軟質樹脂をレンズ形状にして剃り面を拡大して目視できるようにしてもよい。
【００２２】
請求項１または請求項２の発明または第１４の発明または第１５の発明を前提とする第１６の発明（第２実施形態に対応）において、手動利器の機能部３側になる柄１の頭部４とその機能部３に対する反対側になる柄１の尻部５との間を結ぶ長手方向Ｘに対し直交する柄１の厚み方向Ｚの両側のうち柄１を握った際に手の平に対する反対側になる腹側にはその長手方向Ｘに対し直交する幅方向Ｙの両側で指掛壁４８がその腹側で露出する軟質表面部６により形成されている。第１６の発明では、軟質表面部６である両指掛壁４８に例えば親指や人差し指を当てがうと、両指掛壁４８が幅方向Ｙで撓んで変形し得るので、柄１を握った際の感触をより一層良くすることができる。
【００２３】
請求項１から請求項５のうちいずれか一つの請求項の発明、または、第６の発明から第１６の発明のうちいずれか一つの発明を前提とする第１７の発明（第１〜２実施形態に対応）において、前記軟質材は樹脂例えばエラストマーである。第１７の発明では、軟質表面部６をエラストマー等の樹脂により容易に成形することができる。
【００２４】
第１７の発明を前提とする第１８の発明（第１〜２実施形態に対応）において、前記透明または半透明の軟質材である軟質樹脂に蓄光材またはパール材またはラメ材を混入した。第１８の発明では、柄１の装飾性を良くすることができる。
【発明の効果】
【００２５】
本発明は、剃刀などの手動利器において柄１の軟質表面部６を透明または半透明にして、柄１の見映えを良くすることができる。
【発明を実施するための最良の形態】
【００２６】
まず、本発明の第１実施形態にかかる手動利器としての首振り式剃刀の柄について図１〜２を参照して説明する。
この柄１はＡＢＳ樹脂などの硬質樹脂からなる硬質材により成形された芯体２を有し、この芯体２は手動利器の機能部としての剃刀ヘッド３が支持される頭部４とその剃刀ヘッド３に対する反対側になる尻部５との間で長手方向Ｘへ細長く延設されている。この頭部４の上端部において長手方向Ｘに対し直交する幅方向Ｙの両側には、幅方向Ｙで互いに相対向する一対の支持突部４ａと、湾曲した一対の板ばね部４ｂとが互いに並んで形成され、剃刀ヘッド３がその裏側でこの両支持突部４ａにより回動可能に支持されて頭部４に対し首振りし得るとともに、剃刀ヘッド３の裏側にこの両板ばね部４ｂが圧接されて剃刀ヘッド３を首振り方向で中立状態に保持している。この柄１において硬質樹脂からなる芯体２には頭部４と尻部５との間でエラストマーやシリコン樹脂などの軟質樹脂からなる軟質材がインサート成形されてその芯体２と軟質樹脂とにより把持部１ａが成形されている。また、二色射出成形してもよい。
【００２７】
前記柄１の把持部１ａにおいて長手方向Ｘに対し直交する厚み方向Ｚの両側のうち柄１を握った際に手の平側になる背側には、柄１の表面側で露出する軟質樹脂の一部である軟質表面部６が長手方向Ｘへ延びて背側軟質指当部７として一連に繋がっている。この把持部１ａにおいて厚み方向Ｚの両側のうち柄１を握った際に手の平に対する反対側になる腹側には、柄１の表面側で露出する軟質樹脂の一部である軟質表面部６が長手方向Ｘへ延びて腹側軟質指当部８として一連に繋がっている。この把持部１ａにおいて幅方向Ｙの両側で背側軟質指当部７と腹側軟質指当部８との間には、柄１の表面側で露出する硬質樹脂の一部である硬質表面部９が長手方向Ｘへ延びて硬質側面部１０として一連に繋がっている。
【００２８】
前記柄１の把持部１ａにおいて背側軟質指当部７及び腹側軟質指当部８は、それぞれ、芯体２の頭部４側になる頭部側軟質指当部１１，１２と、芯体２の尻部５側になる尻部側軟質指当部１３，１４と、その頭部側軟質指当部１１，１２と尻部側軟質指当部１３，１４との間の中間軟質指当部１５，１６とに区分されている。その頭部側軟質指当部１１，１２の幅方向Ｙの両側と尻部側軟質指当部１３，１４の幅方向Ｙの両側と中間軟質指当部１５，１６の幅方向Ｙの両側とで頭部側軟質指当部１１，１２の縁部１１ａ，１２ａと尻部側軟質指当部１３，１４の縁部１３ａ，１４ａと中間軟質指当部１５，１６の縁部１５ａ，１６ａとが長手方向Ｘへ互いに連続しているとともに、中間軟質指当部１５，１６の縁部１５ａ，１６ａが頭部側軟質指当部１１，１２の縁部１１ａ，１２ａと尻部側軟質指当部１３，１４の縁部１３ａ，１４ａとの間で凹み１７を形成している。
【００２９】
前記柄１の把持部１ａにおいて硬質側面部１０は、幅方向Ｙの両側でそれぞれ、芯体２の頭部４側になる頭部側硬質側面部１８と、芯体２の尻部５側になる尻部側硬質側面部１９と、その頭部側硬質側面部１８と尻部側硬質側面部１９との間の中間硬質側面部２０とに区分されている。その頭部側硬質側面部１８は厚み方向Ｚの両側で前記背側軟質指当部７及び腹側軟質指当部８の頭部側軟質指当部１１，１２の縁部１１ａ，１２ａに沿う縁部１８ａを有している。その尻部側硬質側面部１９は厚み方向Ｚの両側で前記背側軟質指当部７及び腹側軟質指当部８の尻部側軟質指当部１３，１４の縁部１３ａ，１４ａに沿う縁部１９ａを有している。その中間硬質側面部２０は厚み方向Ｚの両側で前記背側軟質指当部７及び腹側軟質指当部８の中間軟質指当部１５，１６の縁部１５ａ，１６ａに沿う縁部２０ａを有している。この頭部側硬質側面部１８の縁部１８ａと尻部側硬質側面部１９の縁部１９ａと中間硬質側面部２０の縁部２０ａとが長手方向Ｘへ互いに連続している。柄１の幅方向Ｙの両側で中間硬質側面部２０は頭部側硬質側面部１８と尻部側硬質側面部１９との間で凹み２１を有している。
【００３０】
前記頭部側硬質側面部１８は背側軟質指当部７の頭部側軟質指当部１１の縁部１１ａに対し、前記尻部側硬質側面部１９は背側軟質指当部７の尻部側軟質指当部１３の縁部１３ａに対し、前記中間硬質側面部２０は背側軟質指当部７の中間軟質指当部１５の縁部１５ａに対し、それぞれ、幅方向Ｙの外側へ突出するように形成されている。また、この頭部側硬質側面部１８の縁部１８ａは腹側軟質指当部８の頭部側軟質指当部１２の縁部１２ａに対し、この尻部側硬質側面部１９の縁部１９ａは腹側軟質指当部８の尻部側軟質指当部１４の縁部１４ａに対し、この中間硬質側面部２０の縁部２０ａは腹側軟質指当部８の中間軟質指当部１６の縁部１６ａに対し、それぞれ、厚み方向Ｚで揃うように形成されている。
【００３１】
前記軟質表面部６である背側軟質指当部７と腹側軟質指当部８とは硬質表面部９を介して分離されている。この背側軟質指当部７の頭部側軟質指当部１１とこの腹側軟質指当部８の頭部側軟質指当部１２とは、前記芯体２に形成された貫通孔２２を通して一体成形された軟質樹脂からなる連結部２３により、柄１の表面側に露出しない状態で互いに繋がっている。この背側軟質指当部７の尻部側軟質指当部１３とこの腹側軟質指当部８の尻部側軟質指当部１４とは、前記芯体２に形成された貫通孔２４を通して一体成形された軟質樹脂からなる連結部２５により、柄１の表面側に露出しない状態で互いに繋がっている。
【００３２】
前記腹側軟質指当部８の中間軟質指当部１６における幅方向Ｙの両側で中間軟質指当部１６の縁部１６ａに連続する複数の突条２６（突部）が長手方向Ｘへ並設されている。前記腹側軟質指当部８の尻部側軟質指当部１４に形成された滑止め部２７においては、幅方向Ｙの両側にわたり尻部５側へ膨らむ円弧状に延びる複数の突条２８（突部）がこの中間軟質指当部１６の突条２６と芯体２の尻部５との間で長手方向Ｘへ並設され、この各突条２８の曲率半径が尻部５側ほど次第に大きくなり、この各突条２８のうち中間軟質指当部１６に隣接する一つの突条２８ａが各突条２６のうち尻部側軟質指当部１４に隣接する一つの突条２６ａに繋がり、この突条２８ａ内で前記硬質表面部９が指当面９ａとして露出している。前記腹側軟質指当部８の頭部側軟質指当部１２に形成された滑止め部２９においては、各突条２６のうち頭部側軟質指当部１２に隣接する一つの突条２６ｂに繋がる突条３０（突部）がその突条２６ｂから芯体２の頭部４側へ細長い環状に延び、その突条３０内で長手方向Ｘへ並設された複数の凹部３１内で前記硬質表面部９が指当面９ａとして露出している。
【００３３】
前記背側軟質指当部７の頭部側軟質指当部１１における幅方向Ｙの両側で複数の突条３２（突部）が長手方向Ｘへ並設され、この両側の各突条３２のうち長手方向Ｘの中央よりも芯体２の頭部４側にある各突条３２が幅方向Ｙの外側に向うに従い頭部４側へ傾斜しているとともに、芯体２の尻部５側にある各突条３２が幅方向Ｙの外側に向うに従い尻部５側へ傾斜している。芯体２の頭部４に隣接して配設された指掛部３３においては、この頭部側軟質指当部１１に形成された指掛面３４から芯体２の頭部４側に向うに従い背側から離間するように傾斜する指掛面３５が芯体２の硬質表面部９に形成されている。この背側軟質指当部７の尻部側軟質指当部１３には長手方向Ｘに細長い環状の周縁３６の内側に凹所３７が形成され、その凹所３７内で図示しない凸部が凹所３７内から外側へ突出しないように商品名や商品番号や品質表示として形成されている。前記背側軟質指当部７の中間軟質指当部１５における幅方向Ｙの両側で一対の突条３８（突部）が長手方向Ｘへ延設されている。
【００３４】
前記背側軟質指当部７で厚み方向Ｚの投影図の面積は、前記腹側軟質指当部８で厚み方向Ｚの投影図の面積よりも小さく設定されている。なお、それらの面積を互いに等しく設定してもよい。
【００３５】
前記芯体２を一体成形する硬質樹脂は不透明であるが、前記背側軟質指当部７や腹側軟質指当部８や連結部２３，２５を一体成形する軟質樹脂は、透明または半透明であり、その背側軟質指当部７及び腹側軟質指当部８の表面側からその表面側に対する反対側若しくはそれらの内部を目視することができる。この軟質樹脂の硬さはショア硬さＡ１０〜Ａ８０好ましくはＡ２０〜Ａ５０である。この軟質樹脂が複数に分かれている場合には、その硬さを同じにしてもよいし互いに変えてもよい。この軟質樹脂には蓄光材またはパール材またはラメ材またはそれら以外の部材を混入してもよいし、多数の気泡を含ませてもよい。
【００３６】
なお、柄１における長手方向Ｘの全長が約１３０ｍｍ、柄１における尻部５側で幅方向Ｙの最大寸法が約２５ｍｍ、柄１における長手方向Ｘの中間で幅方向Ｙの最小寸法が約１０ｍｍ、柄１の全質量が１０〜８０ｇ、柄１の全質量に対する軟質樹脂の質量割合が５〜５０％にそれぞれ設定されている。
【００３７】
剃刀ヘッド３を上側にするとともに柄１を下側にした状態で剃る場合にこの柄１を把持する際には、例えば、背側軟質指当部７の尻部側軟質指当部１３を手の平で包み込むように持ち、背側軟質指当部７の頭部側軟質指当部１１に人差し指の腹を当てるとともに、親指の腹と中指の第二関節付近を腹側軟質指当部８の中間軟質指当部１６の各突条２６に当て、腹側軟質指当部８の尻部側軟質指当部１４の各突条２８に薬指や小指を当てる。従って、このような把持状態では人差し指により柄１に対する力の入れ具合や柄１の向きを調節し易い。また、剃刀ヘッド３を下側にするとともに柄１を上側にした状態で剃る場合にこの柄１を把持する際には、例えば、腹側軟質指当部８の中間軟質指当部１６の各突条２６を親指と人差し指とで摘むように把持し、中指の側面を背側軟質指当部７における頭部側軟質指当部１１の各突条３２や中間軟質指当部１５の各突条３８に当てる。
【００３８】
次に、本発明の第２実施形態にかかる首振り式剃刀の柄について第１実施形態との相違点を中心に図３〜４を参照して説明する。
この柄１の把持部１ａにおいては、硬質樹脂により成形された芯体２の背側でこの芯体２の頭部４と尻部５との間にわたり硬質表面部９が露出し、その芯体２に対し軟質樹脂がインサート成形されてこの芯体２の腹側とその腹側と背側との間の両側とで軟質表面部６がこの頭部４と尻部５との間にわたり露出し、腹側の軟質表面部６と両側の軟質表面部６とにわたり幅方向Ｙへ延びる複数の突条３９（突部）が長手方向Ｘへ並設されている。この各突条３９において幅方向Ｙの寸法は尻部５側ほど大きくなっている。
【００３９】
この頭部４との境で芯体２の背側には頭部４側に向うに従い背側から離れるように傾斜する指掛部４０が形成され、その指掛部４０に貫設された貫通孔４１に腹側の軟質表面部６が連結部４２ａにより一体成形されて指掛部４０で長手方向Ｘへ細長い凹凸状の指当面４２として露出している。
【００４０】
また、この柄１の頭部４において幅方向Ｙの中央で背側には指掛部４３が形成され、把持部１ａにおける腹側及び両側の軟質表面部６が頭部４の腹側へ延びて頭部４の腹側にある軟質表面部６が、その指掛部４３に貫設された貫通孔４４に連結部４５によりに一体成形されて指掛部４３で凹凸状の指当面４６として露出している。その指当面４６は、剃刀ヘッド３に隣接する前縁４６ａと、その前縁４６ａの幅方向Ｙの両側から尻部５側へ延びる側縁４６ｂとを有し、その両側縁４６ｂの幅方向Ｙの間隔が尻部５側へ延びるに従い狭くなるように略三角形状に形成されてその指当面４６が剃り向きを示す矢印としても機能している。
【００４１】
さらに、把持部１ａの腹側における頭部４との境から頭部４の腹側にわたり軟質表面部６には前記指掛部４０及び指掛部４３に対する反対側で凹所４７が形成され、把持部１ａにおける頭部４との境でその凹所４７を挟む幅方向Ｙの両側には指掛壁４８が軟質表面部６により形成されている。
【００４２】
次に、本発明の第１実施形態及び第２実施形態にかかる首振り式剃刀の柄やその他の剃刀の柄に支持される剃刀ヘッドについて図５〜６を参照して説明する。
この剃刀ヘッド３においては、プラスチックからなる底台４９と天部材５０との間に下側から台板５１と台座５２と複数の刃体５３とが順次重ねられて挟着され、この台板５１上に台座５２が載せられてそれらの金属面で互いに接触しているとともに、この台座５２上に各刃体５３が溶接されてそれらの金属面で互いに接触している。各刃体５３は金属（例えばマルテンサイト系ステンレス鋼）からなり、台座５２は刃体５３よりもイオン化傾向の大きい金属（例えば刃体５３よりも炭素含有量が多いかクロム含有量が少ないステンレス鋼）からなり、台板５１は刃体５３や台座５２よりもイオン化傾向の大きい金属（例えばアルミニウム）からなる。従って、台板５１が台座５２よりも錆び易くなって台座５２の錆を防ぐとともに、台板５１及び台座５２を刃体５３よりも先に酸化させて刃体５３の錆を防ぐことができる。
【００４３】
本実施形態は下記の効果を有する。
＊  硬質表面部９により柄１の強度を増すとともに、柄１を握った際の感触を軟質表面部６により良くすることができる。
【００４４】
＊  透明または半透明な軟質表面部６の表面側からその表面側に対する反対側若しくはその軟質表面部６の内部を目視することができ、柄１の見映えを良くするとともに、軟質表面部６に対する着色剤の含有量を抑制することができる。
【００４５】
＊  柄１の見映えを良くするために複数に分離した各軟質表面部６を連結部２３，２５，４２ａにより互いに繋いで、柄１の強度を増すとともに、軟質表面部６を剥がれにくくし、また、連結部２３，２５，４２ａにより互いに繋がった各軟質表面部６を一度に成形することができ、成形回数を減らして成形コストを軽減することができる。
【００４６】
＊  柄１を握った手の平が当てがわれる背側軟質指当部７や、柄１を握った手の指先が当てがわれる腹側軟質指当部８や、背側軟質指当部７及び腹側軟質指当部８の中間に設けた凹み１７や、硬質側面部１０の中間に設けた凹み２１により、柄１を握った際の感触を良くすることができる。
【００４７】
前記実施形態以外にも例えば下記のように構成してもよい。
・  手動利器としては、前述した剃刀以外に、カッターナイフや包丁や彫刻刀などを挙げることができる。
【００４８】
・  硬質樹脂により成形された芯体２を透明にしてもよい。
・  芯体２を硬質樹脂に代えて金属や木材などの硬質材により設けてもよい。
【図面の簡単な説明】
【００４９】
【図１】（ａ）は第１実施形態にかかる首振り式剃刀の柄を示す側面図であり、（ｂ）はこの柄を側面から見た部分断面図である。
【図２】（ａ）は図１（ａ）の柄の背側を示す正面図であり、（ｂ）は図１（ａ）の柄の腹側を示す背面図である。
【図３】（ａ）は第２実施形態にかかる首振り式剃刀の柄を示す側面図であり、（ｂ）はこの柄を側面から見た部分断面図である。
【図４】（ａ）は図３（ａ）の柄の背側を示す正面図であり、（ｂ）は図３（ａ）の柄の腹側を示す背面図であり、（ｃ）は（ａ）のＡ−Ａ線断面図である。
【図５】上記首振り式剃刀等に支持される剃刀ヘッドを分解して示す斜視図である。
【図６】（ａ）は上記剃刀ヘッドの組付斜視図であり、（ｂ）は（ａ）のＢ−Ｂ線拡大断面図である。
【符号の説明】
【００５０】
１…柄、３…手動利器の機能部としての剃刀ヘッド、４…柄の頭部、５…柄の尻部、６…軟質表面部、７…背側軟質指当部、８…腹側軟質指当部、９…硬質表面部、１０…硬質側面部、１１，１２…頭部側軟質指当部、１３，１４…尻部側軟質指当部、１５，１６…中間軟質指当部、１１ａ，１２ａ，１３ａ，１４ａ，１５ａ，１６ａ…縁部、１７…凹み、１８…頭部側硬質側面部、１９…尻部側硬質側面部、２０…中間硬質側面部、１８ａ，１９ａ，２０ａ…縁部、２１…凹み、２３，２５，４２ａ…連結部、Ｘ…長手方向、Ｙ…幅方向、Ｚ…厚み方向。
【図１】
2010064170.tif 000003
【図２】
2010064170.tif 000004
【図３】
2010064170.tif 000005
【図４】
2010064170.tif 000006
【図５】
2010064170.tif 000007
【図６】
2010064170.tif 000008